(57)【要約】【課題】従来の空気調和機において、マイナスイオン発生装置は、空気を吸込む側に設置してあり、マイナスイオン発生装置を通過する空気だけがマイナス帯電するため、一定の容積とスペースが必要になっていた。そのため、吸い込み側における通風抵抗が増大し、吸い込み性能が低下していた。【解決手段】針状の放電極と対向電極とを設け、これらの電極間に高電圧を印加し、前記記電極間に風を通過させ室内の空気中の埃を帯電させる構成を設け、前記放電極と前記対向電極を連結する導電体と、前記導電体を覆いこむ絶縁性のカバーとを備えるマイナスイオン発生装置１において、マイナスイオン発生装置１を室内ユニット１５の吹出し口２の中央下部に設置する。【選択図】図１
2006300362.tif 000002
【特許請求の範囲】
【請求項１】
針状の放電極と対向電極を設け、これらの電極間に高電圧を印加し、前記電極間に風を通過させて室内の空気中の埃を帯電させる構成を設け、前記放電極と前記対向電極を連結する導電体と、前記導電体を覆いこむ絶縁性のカバーとを備えるマイナスイオン発生装置を空気調和機の吹き出し口の中央下部に設置したことを特徴とする空気調和機。
【請求項２】
前記マイナスイオン発生装置の上面がエアガイダー傾斜面と略平行になるように、前記マイナスイオン発生装置を設置したことを特徴とする請求項１に記載の空気調和機。
【請求項３】
空気調和機の吹き出し口に配設している上下風向き変更羽根の長手方向中央部に中央支点を備え、前記中央支点の下部に前記マイナスイオン発生装置を設置したことを特徴とする請求項１〜２のいずれかに記載の空気調和機。
【請求項４】
前記マイナスイオン発生装置の上面に前記中央支点と嵌合する囲いリブを設けたことを特徴とする請求項３に記載の空気調和機。
【請求項５】
空気調和機の吹き出し口に配設している左右風向き変更羽根の前縁よりも奥側にマイナスイオン発生装置を設置したことを特徴とする請求項１〜４のいずれかに記載の空気調和機。
【請求項６】
前記エアガイダーの中央先端部の下部に、前記マイナスイオン発生装置の導電体を収納する収納部を設けたことを特徴とする請求項１〜５のいずれかに記載の空気調和機。
【請求項７】
前記エアガイダーの先端下部の長手方向に凹部を設けたことを特徴とする請求項１〜６のいずれかに記載の空気調和機。
【請求項８】
空気調和機に設けた吹き出しグリル右側下部に凹部を設けたことを特徴とする請求項７に記載の空気調和機。
【請求項９】
空気調和機内に配設してあるファンを動作させるファンモータを被い固定するファンモータ押え具と、前記マイナスイオン発生装置に電源を供給する高電圧発生装置と、前記マイナスイオン発生装置と前記高電圧発生装置とを接続する中間コネクターを備え、前記ファンモータ押え具に前記中間コネクターを収納する中間コネクター収納部を設けたことを特徴とする請求項１〜８のいずれかに記載の空気調和機。
【請求項１０】
前記中間コネクターから延出しているリード線を固定するリード線固定溝を前記ファンモータ押え具に設けたことを特徴とする請求項９に記載の空気調和機。
【請求項１１】
前記中間コネクター収納部の手前に電源板を配置したことを特徴とする請求項９〜１０のいずれかに記載の空気調和機。
【発明の詳細な説明】
【技術分野】
【０００１】
本発明は、吹き出し口にマイナスイオン発生装置を設けた空気調和機に関する。
【背景技術】
【０００２】
従来の空気調和機において、マイナスイオン発生装置は、熱交換器の空気吸い込み口側に配置され、室内ユニット内に吸い込まれる室内空気に含まれる塵埃などの不純物にマイナス帯電させる。そして、マイナス帯電させた不純物を、室内ユニットの熱交換器の空気吸い込み口側に配置される集塵装置によって除去し、清浄化された空気を室内へ吹き出すものであった（例えば、特許文献１参照）。以下図１１〜図１３を用いて従来の空気調和機について説明する。図１１は従来の空気調和機の室内ユニットの断面図、図１２は従来の空気調和機の室内ユニットの正面図である。
【０００３】
従来は、室内ユニット１００内に室内空気を吸い込んで熱交換器１０２と熱交換させ、室内送風ファン１０３を介して室内へ吹き出す空気調和機において、熱交換器１０２の空気吸い込み口１０４側にマイナスイオンを発生して室内へ供給するマイナスイオン発生装置１０１と室内ユニット１００内に吸い込まれる室内空気から塵埃などを除去して清浄化する集塵装置１０５が配置されている。
【０００４】
上記構成とすることで、室内空気がマイナスイオン発生装置１０１を通過する際に、室内空気に含まれる塵埃などの不純物にマイナス帯電させ、マイナスイオン発生装置１０１の下流側に配設された集塵装置１０５によって不純物を吸着除去する。
【０００５】
また図１３は他の従来の空気調和機の吹き出し口にマイナスイオン発生装置を配設した室内ユニットの断面図である。図１３に示すように、マイナスイオン発生装置を吹き出し口近傍の上面壁に取り付けられ、マイナスイオンが放射され室内空間に供給されるものもある（例えば、特許文献２参照）。
【特許文献１】国際公開第０１／０６４３４９号パンフレット
【特許文献２】特開２００３−７４８８８号公報
【発明の開示】
【発明が解決しようとする課題】
【０００６】
しかしながら上記従来技術で示した、空気吸い込み口側にマイナスイオン発生装置を備えた空気調和機では、空気吸い込み口と熱交換器の間に設置したマイナスイオン発生装置を通過する空気だけが帯電する。そのためマイナスイオン発生装置を空気調和機の空気吸い込み口の横幅分設けなければならず、一定の容積とスペースが必要になっていた。そのため、空気吸い込み口において通風抵抗が大きくなってしまい、吸い込み性能の低下を引き起こしていた。
【０００７】
また空気調和機のデザインやマイナスイオン発生装置の設置性によって、吹き出し口近傍の上面壁にマイナスイオン発生装置を配設した場合、上下風向き変更羽根を動作させた時にマイナスイオン発生装置と上下風向き変更羽根が接触するという課題や、マイナスイオン発生装置への電源回路の引き回しが空気調和機の構造上困難であるという課題があった。
【０００８】
そこで上記のような課題に対して、本発明は、吹き出し口の長手方向中央下部にマイナスイオン発生装置を設置した空気調和機を提供するものである。
【課題を解決するための手段】
【０００９】
上記のような課題を解決するために、本発明は、針状の放電極と対向電極とを設け、これらの電極間に高電圧を印加し、前記電極間に風を通過させ室内の空気中の埃を帯電させる構成を設け、前記電極同士を連結する導電体と、前記導電体を覆いこむ絶縁性のカバーとを備えるマイナスイオン発生装置を、空気調和機の吹き出し口の長手方向中央下部の気流の安定した場所に設置したものである。
【発明の効果】
【００１０】
本発明の空気調和機は、吹き出し口にマイナスイオン発生装置を設けることで吸い込み性能の向上を図ることができ、吹き出し口の設置場所を考慮することで露付きの防止を図ることができる。また従来のマイナスイオン発生装置に比べ、小型のマイナスイオン発生装置を提供できるのでコストダウンを図ることができる。
【発明を実施するための最良の形態】
【００１１】
第１の発明は、針状の放電極と対向電極を設け、これらの電極間に高電圧を印加し、前記電極間に風を通過させて室内の空気中の埃を帯電させる構成を設け、前記放電極と前記対向電極を連結する導電体と、前記導電体を覆いこむ絶縁性のカバーとを備えるマイナスイオン発生装置を空気調和機の吹き出し口の中央下部に設置することで、露付きの防止を図ることができる。また吹き出し口の下部にマイナスイオン発生装置を取り付けているので吹き出し口に設けている上下風向き変更羽根を動作させた時に、マイナスイオン発生装置と上下風向き変更羽根が接触することがない。また下部に取り付けていることで、空気調和機の構造上電源回路の引き回しがし易くなる。
【００１２】
第２の発明は、特に第１の発明の空気調和機において、前記マイナスイオン発生装置の上面がエアガイダー傾斜面と略平行になるように前記マイナスイオン発生装置を設置したことで、吹き出す風に乱れを引き起こす影響を軽減できる。
【００１３】
第３の発明は、特に第１〜２の発明の空気調和機において、吹き出し口に設置している上下風向き変更羽根の長手方向中央部に中央支点を備え、前記マイナスイオン発生装置を前記中央支点の下部に設置したことで、前記中央支点と前記マイナスイオン発生装置が一体化するイメージになり見栄えの向上を図ることができる。
【００１４】
第４の発明は、特に第３の発明の空気調和機において、前記マイナスイオン発生装置の上面に前記中央支点と嵌合する囲いリブを設けたことで、前記中央支点と前記囲いリブを嵌合させ前記中央支点の位置きめを容易にし、前記中央支点の動きを抑制することができる。
【００１５】
第５の発明は、特に第１〜４の発明の空気調和機において、吹き出し口に配設している左右風向き変更羽根の前縁よりも奥側にマイナスイオン発生装置を設置したことで、左右風向き変更羽根の動作時に前記左右風向き変更羽根とマイナスイオン発生装置が接触せず、前記左右風向き変更羽根の角度を確保できる。
【００１６】
第６の発明は、特に第１〜５の発明の空気調和機において、前記エアガイダーの中央先端部の下部に、前記マイナスイオン発生装置の導電体を収納する収納部を設けたことで、吹き出す風の流路に抵抗物がなくなり、通風抵抗の削減を図ることができる。
【００１７】
第７の発明は、特に第１〜６の発明の空気調和機において、前記エアガイダーの先端下部の長手方向に凹部を設けたことで、前記マイナスイオン発生装置から延出しているリード線を容易に収納し引き回すことが可能となり作業の安定化を図ることができる。
【００１８】
第８の発明は、特に第７の発明の空気調和機において、空気調和機の吹き出し口に設けた吹き出しグリルの右側下部に凹部を設けたことで、前記エアガイダー下部からのマイナスイオン発生装置のリード線を収納し、電源に容易に引き回すことが可能になり、作業性の向上を図ることができる。
【００１９】
第９の発明は、特に第１〜８の発明の空気調和機において、空気調和機内に配設してある室内送風ファンを動作させるファンモータを被い固定するファンモータ押え具と、前記マイナスイオン発生装置に電源を供給する高電圧発生装置と、前記マイナスイオン発生装置と前記高電圧発生装置とを接続する中間コネクターを備え、前記ファンモータ押え具に前記中間コネクターを収納する中間コネクター収納部を設けたことで、前記マイナスイオン発生装置とアースとを接続する中間アースコネクターと区別でき、耐アーク性能の確保および、作業性の容易化を図ることができる。
【００２０】
第１０の発明は、特に第９の発明の空気調和機において、前記中間コネクターから延出しているリード線を固定するリード線固定溝を前記ファンモータ押え具に設けたことで、中間コネクターの両端から延出するリード線の確実な位置決めを図ることができる。
【００２１】
第１１の発明は、特に第９〜１０の発明の空気調和機において、前記中間コネクター収納部の手前に電源板を配置したことで、前記中間コネクターに指が触れないように収納することができ、安全性の確保を図ることができる。
【００２２】
（実施の形態１）
図１、２は本発明の実施の形態１における空気調和機の側面断面図及び正面図を示すものである。図１、２において、マイナスイオン発生装置１の内部に、針状の放電極と対向電極とを設け、マイナスイオン発生装置１に接続された高電圧発生装置１１で、放電極間に高電圧を印加し、針状放電極と対向電極間に空気を通過させることで、空気中にマイナスイオンを放出することができる。このような構成のマイナスイオン発生装置１を室内ユニット１５の吹き出し口２の中央下部に設置している。
【００２３】
ここで、マイナスイオン発生装置１の取付け位置について説明する。マイナスイオン発生装置１は吹き出し口の長手方向中央部に取り付ける。室内ユニット１５の吹き出し口２の左端部もしくは右端部にマイナスイオン発生装置１を取り付けると、左右風向き変更羽根７を動作させたときに、マイナスイオン発生装置１と左右風向き変更羽根７が接触してしまうため、左右風向き変更羽根７の一部分を取り除いた設計にしなければならない。しかし、左右風向き変更羽根７の一部分を取り除いた設計にすると、空気を吹き出す性能が左右で不均衡になってしまい、部屋の雰囲気に温度むらができてしまう。
【００２４】
また、冷房時に熱交換器１８の端部と室内ユニット１５の隙間から、僅かながら暖かい風が吸い込まれ、室内送風ファン１６の端部に結露が生じてしまう。さらに室内送風ファン１６の端部だけでなく、吹き出し口２の端部においても、周辺空気の巻き込みが発生し結露が生じる。そのため結露が生じる室内送風ファン１６や吹き出し口２の端部側に電気的な装置であるマイナスイオン発生装置１を取り付けると課題がある。
【００２５】
またマイナスイオン発生装置１は吹き出し口２の下部に取り付ける。吹き出し口２の上面壁にマイナスイオン発生装置１を設けると、エアコンの上下風向き変更羽根６のデザインにより、マイナスイオン発生装置１と上下風向き変更羽根６が互いに接触してしまう。また吹き出し口２の上面壁に設けると、マイナスイオン発生装置１に露が生じた場合処理するのが困難であるが、下部に取り付けることで、マイナスイオン発生装置１に生じた露の処理も比較的容易にできる。
以上のような問題を考慮すると、マイナスイオン発生装置１を吹き出し口２の中央下部に
設けることが望ましい。
上記のように構成された空気調和機について、以下その動作、作用を説明する。
【００２６】
室内送風ファン１６によって空気吸い込み口１７から吸い込まれた空気は、熱交換器１８を通ることで熱交換され、マイナスイオン発生装置１を通過し、帯電した状態で室内に吹き出されることとなり、室内に充満している粉塵にマイナス帯電するものである。そして室内に存在するマイナス帯電した粉塵が、再び空気吸い込み口１７から室内ユニット１５内に吸い込まれ、室内ユニット１５内に配設されたプラス帯電している集塵装置１９に付着するものである。
【００２７】
図３は図１のＡ部拡大図、図４は図２のＢ部拡大図である。図３に示すように、マイナスイオン発生装置１の上面がエアガイダー３の傾斜面と略平行になるように、マイナスイオン発生装置を設置したことで、風の乱れが発生せず、通風抵抗の削減を図ることができる。また図３、図４に示すように、吹き出し口２に配設している上下風向き変更羽根６の長手方向中央部に設けた中央支点５の下部にマイナスイオン発生装置１を設置したことで、見栄えの向上を図ることができる。さらに、上下風向き変更羽根６を反らせ変形させる方向の力に対して、もしそのような力が上下風向き変更羽根６に加わったとしても、マイナスイオン発生装置１が上下風向き変更羽根６の中央支点５の下部に設置してあるため、上下風向き変更羽根６の変形を抑制させる効果も伴う。
【００２８】
またマイナスイオン発生装置１を左右風向き変更羽根７の間に配設し、マイナスイオン発生装置１が左右風向き変更羽根７の前縁７ａよりも前方に突出しないように配設することで、マイナスイオン発生装置１と左右風向き変更羽根７の接触を防ぐことができる。そのため、マイナスイオン発生装置１と風向き変更羽根７が接触することなく、従来と同じように左右風向き変更羽根７の動作が可能となる。
【００２９】
また図３に示すように、エアガイダー３の中央先端部の下部に収納部３ａを設け、マイナスイオン発生装置１の導電体１ａを収納したことで、通風抵抗が削減され、吹き出し性能を向上させることができる。
【００３０】
図５は図４のＤ−Ｄ断面図、図６は本発明におけるマイナスイオン発生装置１の外観図である。図５、図６に示すように、マイナスイオン発生装置１の上面に略Ｕ字型の嵌合用の囲いリブ１ｂを設けたことで、上下風向き変更羽根６の中央支点５の受け部４を囲いリブ１ｂに嵌合させることで位置決めが容易となる。また囲いリブ１は略Ｕ字型であるので、受け部４が左右両側から位置決めされ、上下風向き変更羽根６の移動を抑制することができる。
【００３１】
図７は図４のＥ−Ｅ断面図、図８は図４のＦ−Ｆ断面図である。図７に示すように、エアガイダー３の先端下部の長手方向に凹部３ｂを設けたことで、マイナスイオン発生装置１のリード線１０を容易に収納し、引き回すことが可能となり、作業性の向上を図ることができる。また図８に示すように吹き出しグリル９右側下部に凹部９ａを設け、マイナスイオン発生装置１のリード線１０を前記エアガイダー３の先端下部に設けた３ｂ、吹き出しグリル９の右側下部に設けた凹部９ａに収納することで、電源板１４に容易に引き回すことが可能となり、作業性の向上を図ることができる。
【００３２】
図９は図２のＧ部拡大図、図１０は図９のＪ−Ｊ断面図である。マイナスイオン発生装置１と高電圧発生装置１１とを接続する中間コネクター１２を、室内ユニット１５内に配設してある室内送風ファンを動作させるファンモータを被い固定するファンモータ押え具１３に設けた中間コネクター収納部１３ａに収納したことで、マイナスイオン発生装置１とアースを接続している中間アースコネクター（図示せず）と区別できるため、作業者に
対してどちらが加電圧側のコネクターであるかを容易に判断させることができる。また加電圧側の中間コネクター１２を固定し、中間アースコネクターとの間に距離を設けることでアーク放電を防止している。
【００３３】
またファンモータ押え具１３にリード線固定溝１３ｂを設けたことにより、中間コネクター１２の両端から延出しているリード線１０の確実な位置決めを図ることができる。リード線を確実に固定することで、加電圧側の中間コネクター１２の移動が抑制され、よりアーク放電を防ぐことができる構造となっている。またファンモータ押え具１３の中間コネクター収納部１３ａの手前開放部に電源板１４を配設したことで、中間コネクター１２に指が触れないように収納することができ、安全性の確保を図ることができる。
【産業上の利用可能性】
【００３４】
本発明の空気調和機におけるマイナスイオン発生装置は、送風性能及び露付きの防止が可能になるので、他のマイナスイオン発生装置を使用する製品の用途にも適用できる。
【図面の簡単な説明】
【００３５】
【図１】本発明の実施の形態１における空気調和機の側面断面図
【図２】本発明の実施の形態１における空気調和機の正面図
【図３】図１のＡ部拡大図
【図４】図２のＢ部拡大図
【図５】図４のＤ−Ｄ断面図
【図６】本発明におけるマイナスイオン発生装置の外観図
【図７】図４のＥ−Ｅ断面図
【図８】図４のＦ−Ｆ断面図
【図９】図２のＧ部拡大図
【図１０】図９のＪ−Ｊ断面図
【図１１】従来の空気調和機の側面断面図
【図１２】従来の空気調和機の正面図
【図１３】他の従来の空気調和機の側面断面図
【符号の説明】
【００３６】
１  マイナスイオン発生装置
１ａ  導電体
１ｂ  囲いリブ
２  吹き出し口
３  エアガイダー
３ａ  収納部
３ｂ  凹部
４  受け部
５  支点
６  上下風向き変更羽根
７  左右風向き変更羽根
７ａ  前縁
９  吹き出しグリル
９ａ  凹部
１０  リード線
１１  高電圧発生装置
１２  中間コネクター
１３  ファンモータ押え具
１３ａ  中間コネクター収納部
１３ｂ  リード線固定溝
１４  電源板
１５  室内ユニット
１６  室内送風ファン
１７  空気吸い込み口
１８  熱交換器
１９  集塵装置
【図１】
2006300362.tif 000003
【図２】
2006300362.tif 000004
【図３】
2006300362.tif 000005
【図４】
2006300362.tif 000006
【図５】
2006300362.tif 000007
【図６】
2006300362.tif 000008
【図７】
2006300362.tif 000009
【図８】
2006300362.tif 000010
【図９】
2006300362.tif 000011
【図１０】
2006300362.tif 000012
【図１１】
2006300362.tif 000013
【図１２】
2006300362.tif 000014
【図１３】
2006300362.tif 000015